(57)【特許請求の範囲】
【請求項１】
避難階が火災であることを検出する避難階火災検出手段と、火災管制運転時に前記避難階火災検出手段により避難階が火災であることを検出した場合、カゴが前記避難階に到着した時にホールドアのみを開放させるように制御する手段とを備えたことを特徴とするエレベーターの火災管制用安全装置。
【請求項２】
避難階が火災であることを検出する避難階火災検出手段と、火災管制運転時に前記避難階火災検出手段により避難階が火災であることを検出した場合、カゴが前記避難階に到着した時にホールドアに対するカゴドアの開速度を遅くしてカゴドアの開動作を行うように制御する手段とを備えたことを特徴とするエレベーターの火災管制用安全装置。
【請求項３】
避難階が火災であることを検出する避難階火災検出手段と、火災管制運転時に前記避難階火災検出手段により避難階が火災であることを検出した場合、カゴが前記避難階に到着した時にホールドアのみを開放させた後に、カゴドアの開速度を遅くしてカゴドアの開動作を行うように制御する手段とを備えたことを特徴とするエレベーターの火災管制用安全装置。
【請求項４】
火災管制運転時に、カゴが避難階に到着した時にホールドアのみを開放させるように制御する手段を備えたことを特徴とするエレベーターの火災管制用安全装置。
【請求項５】
火災管制運転時に、カゴが避難階に到着した時にホールドアに対するカゴドアの開速度を遅くしてカゴドアの開動作を行うように制御する手段を備えたことを特徴とするエレベーターの火災管制用安全装置。
【請求項６】
火災管制運転時に、カゴが避難階に到着した時にホールドアのみを開放させた後に、カゴドアの開速度を遅くしてカゴドアの開動作を行うように制御する手段を備えたことを特徴とするエレベーターの火災管制用安全装置。
【発明の詳細な説明】
【０００１】
【発明の属する技術分野】
本発明は、エレベーターの火災管制用安全装置に関するものである。
【０００２】
【従来の技術】
従来のエレベーターにおいて、火災時の管制運転は、建物内の火災センサーや管制運転ＳＷ（スイッチ）の動作で自動的に火災管制運転を行う。また、カゴ内への案内は管制運転動作案内を行う。しかし、これは、エレベーター付近の火災状況に応じて運転させている動作ではない。
【０００３】
【発明が解決しようとする課題】
従来のエレベーターにおける火災管制運転においては、避難階の火災状況を無視して管制運転を行うので、管制運転による避難階到着時に通常と同じ動作で戸開してしまい避難階に充満している煙をカゴ内に入れてしまうことがある。
【０００４】
そこで、本発明は、上記の点に鑑み為されたもので、避難階でのカゴ内への煙や熱の流入を極力防止することができるエレベーターの火災管制用安全装置を提供することを目的とする。
【０００５】
【課題を解決するための手段】
本発明に係るエレベーターの火災管制用安全装置は、避難階が火災であることを検出する避難階火災検出手段と、火災管制運転時に避難階火災検出手段により避難階が火災であることを検出した場合、カゴが避難階に到着した時にホールドアのみを開放させるように制御する手段とを備えたことを特徴とする。
【０００６】
このような構成により、火災管制運転時に避難階の煙感知等により避難階が火災であることを検出して、避難階に到着した時、ホールドアのみを開放して煙をシャフトに排出し、急激に煙や熱がカゴ内に流入しない様にすることができる。
【０００７】
また、本発明に係るエレベーターの火災管制用安全装置は、避難階が火災であることを検出する避難階火災検出手段と、火災管制運転時に避難階火災検出手段により避難階が火災であることを検出した場合、カゴが避難階に到着した時にホールドアに対するカゴドアの開速度を遅くしてカゴドアの開動作を行うように制御する手段とを備えたことを特徴とする。
【０００８】
このような構成により、火災管制運転時に避難階の煙感知等により避難階が火災であることを検出して、避難階に到着した時、戸開時のカゴ内への煙や熱の急激な流入を防止することができる。
【０００９】
更に、本発明に係るエレベーターの火災管制用安全装置は、避難階が火災であることを検出する避難階火災検出手段と、火災管制運転時に避難階火災検出手段により避難階が火災であることを検出した場合、カゴが避難階に到着した時にホールドアのみを開放させた後に、カゴドアの開速度を遅くしてカゴドアの開動作を行うように制御する手段とを備えたことを特徴とする。
【００１０】
このような構成により、火災管制運転時に避難階の煙感知等により避難階が火災であることを検出して、避難階に到着した時、ホールドアのみを開放して煙をシャフトに排出し、戸開時のカゴ内への煙や熱の急激な流入を防止することができる。
【００１１】
更にまた、本発明に係るエレベーターの火災管制用安全装置は、火災管制運転時に、カゴが避難階に到着した時にホールドアのみを開放させるように制御する手段を備えたことを特徴とする。
【００１２】
このような構成により、火災管制運転時に、避難階に到着した時、ホールドアのみを開放して煙をシャフトに排出し、急激に煙や熱がカゴ内に流入しない様にすることができる。
また、本発明に係るエレベーターの火災管制用安全装置は、火災管制運転時に、カゴが避難階に到着した時にホールドアに対するカゴドアの開速度を遅くしてカゴドアの開動作を行うように制御する手段を備えた構成とすることもできる。
また、本発明に係るエレベーターの火災管制用安全装置は、火災管制運転時に、カゴが避難階に到着した時にホールドアのみを開放させた後に、カゴドアの開速度を遅くしてカゴドアの開動作を行うように制御する手段を備えた構成とすることもできる。
【００１３】
【発明の実施の形態】
以下、図面を参照して本発明の実施形態について詳細に説明する。なお、以下の図において、同符号は同一部分または対応部分を示す。
【００１４】
（第１の実施形態）
図１に、本発明に係るエレベーターの火災管制用安全装置の第１の実施形態の構成を示す。
【００１５】
図１に示すように、この実施形態においては、エレベーター制御装置３は建物内の火災センサー１及び管制運転ＳＷ２からの火災管制信号５を取り込み、火災管制運転を行い、避難階煙センサー１１からの煙センサー動作信号１２を入力して、ホールドア駆動装置４にホールドア駆動指令信号６を出力するような構成となっている。
【００１６】
尚、この実施形態は、従来の火災管制運転を行なうことができるエレベーターに対して、避難階煙センサー１１及びホールドア駆動装置４が付加されて、エレベーター制御装置３が、図２のフローチャートに示す処理を組み込んだ点が異なっている。
【００１７】
図２に従って、第１の実施形態の動作を説明する。
エレベーター制御装置３は、建物内の火災センサー１及び管制運転ＳＷ２の動作（ステップＳ２１）による火災管制信号５を入力して、火災管制運転を行う（ステップＳ２２）。
【００１８】
火災管制運転中のエレベーター制御装置３は、避難階煙センサー１１からの煙センサー動作信号１２を入力して（ステップＳ２３）、カゴが避難階に到着する（ステップＳ２４）と、避難階に到着した際にエレベーター制御装置３からのホールドア駆動指令信号６をホールドア駆動装置４に出力して（ステップＳ２５）、ホールドア開動作を行う（ステップＳ２６）。
【００１９】
この第１の実施形態によれば、火災管制運転を行なうことができるエレベーターにおいて、火災時の管制運転時に避難階が火災の場合、避難階にて乗客を降ろす前にホールドアのみを開放することで、煙をシャフトに逃がすことで、避難階でのカゴドア戸開時のカゴ内への煙の急激な流入を防止することができ、従来よりも、一層、乗客の安全を確保することができる。
【００２０】
（第２の実施形態）
次に、図３に第２の実施形態の構成を示す。
図３に示すように、この実施形態においては、エレベーター制御装置３は建物内の火災センサー１及び管制運転ＳＷ２からの火災管制信号５を取り込み、火災管制運転を行い、避難階煙センサー１１からの煙センサー動作信号１２を入力して、カゴドアを通常よりも遅い速度で開動作させるための管制用カゴドア駆動指令信号８をドアコントロールユニット７に出力するような構成となっている。
【００２１】
尚、この実施形態は、従来の火災管制運転を行なうことができるエレベーターに対して、避難階の煙センサー１１が付加されて、エレベーター制御装置３が図４のフローチャートに示す処理を組み込んだ点が異なっている。
【００２２】
図４に従って、第２の実施形態の動作を説明する。
エレベーター制御装置３は建物内の火災センサー及び管制運転ＳＷの動作（ステップＳ４１）による火災管制信号５を入力して、火災管制運転を行う（ステップＳ４２）。
【００２３】
火災管制運転中のエレベーター制御装置３は、避難階煙センサー１０からの煙センサー動作信号を入力して（ステップＳ４３）、カゴが避難階に到着する（ステップＳ４４）と、避難階に到着した際にエレベーター制御装置３から、カゴドアを通常よりも遅い速度で開動作させるための火災管制用カゴドア開指令信号８をドアコントロールユニット７に出力して（ステップＳ４５）、ドア開動作（ステップＳ４６）を行う。
【００２４】
この第２の実施形態によれば、火災管制運転を行なうことができるエレベーターにおいて、火災時の管制運転時に避難階が火災の場合、避難階にて乗客を降ろす前に、ホールドアは通常の速度で開動作するが、カゴドアを通常よりも遅い速度で開動作することで、避難階での戸開時のカゴ内への煙や熱の急激な流入を防止することができ、従来よりも、一層、乗客の安全を確保することができる。
【００２５】
（第３の実施形態）
次に、図５に第３の実施形態の構成を示す。
図５に示すように、この実施形態においては、エレベーター制御装置３は建物内の火災センサー１及び管制運転ＳＷ２からの火災管制信号５を取り込み、火災管制運転を行い、避難階煙センサー１１からの煙センサー動作信号１２を入力して、ホールドア駆動装置４にホールドア駆動指令６を出力して、ホールドアを開動作させ、その後カゴドアを通常よりも遅い速度で開動作させるための管制用カゴドア駆動指令信号８をドアコントロールユニット７に出力するような構成となっている。
【００２６】
尚、この実施形態は、従来の火災管制運転を行なうことができるエレベーターに対して、避難階煙センサー１１及びホールドア駆動装置４が付加されて、エレベーター制御装置３が図６のフローチャートに示す処理を組み込んだ点が異なっている。
【００２７】
図６に従って、第３の実施形態の動作を説明する。
エレベーター制御装置３は、建物内の火災センサー１及び管制運転ＳＷ２の動作（ステップＳ６１）による火災管制信号５を入力して、火災管制運転を行う（ステップＳ６２）。
【００２８】
火災管制運転中のエレベーター制御装置３は、避難階煙センサー１１からの煙センサー動作信号を入力して（ステップＳ６３）、カゴが避難階に到着する（ステップＳ６４）と、避難階に到着した際にエレベーター制御装置３からのホールドア駆動指令信号６をホールドア駆動装置４に出力して（ステップＳ６５）、ホールドア開動作を行う（ステップＳ６６）。
【００２９】
ホールドア開動作の終了後、エレベーター制御装置３からドアコントロールユニット７に、カゴドアを通常よりも遅い速度で開動作させるための火災管制用ドア開指令信号８を出力して（ステップＳ６７）、カゴドア開動作（ステップＳ６８）を行う。
【００３０】
この第３の実施形態によれば、火災管制運転を行なうことができるエレベーターにおいて、火災時の管制運転時に避難階が火災の場合、避難階にて乗客を降ろす前にホールドアを開放することで、ホールの煙をシャフトに逃がし、ホールの煙が低減された頃にカゴドアを通常よりも遅い速度で開けることで、カゴ内への煙や熱の急激な流入を防止することができ、従来よりも、一層、乗客の安全を確保することができる。
【００３１】
（第４の実施形態）
次に、図７に第４の実施形態の構成を示す。
図７に示すように、この実施形態においては、エレベーター制御装置３は建物内の火災センサー１及び管制運転ＳＷ２からの火災管制信号５を取り込み、火災管制運転を行い、避難階煙センサー１１からの煙センサー動作信号１２を入力して、音声案内装置９に避難階火災案内指令信号１０を出力するような構成となっている。
【００３２】
尚、この実施形態は、従来の火災管制運転付のエレベーターに対して、避難階煙センサー１１が付加されて、エレベーター制御装置３が図８のフローチャートに示す処理を組み込んだ点が異なっている。
【００３３】
図８に従って、第４の実施形態の動作を説明する。
エレベーター制御装置３は、建物内の火災センサー１及び管制運転ＳＷ２の動作（ステップＳ８１）による火災管制信号５を入力して、火災管制運転を行う（ステップＳ８２）。
【００３４】
火災管制運転中のエレベーター制御装置３は、避難階煙センサー１１からの煙センサー動作信号を入力して（ステップＳ８３）、カゴが避難階に到着する（ステップＳ６４）と、避難階に到着した際にエレベーター制御装置からの避難階火災案内指令信号を音声案内装置９に出力して（ステップＳ８５）、避難階火災案内動作（ステップＳ８６）を行う。
【００３５】
この第４の実施形態によれば、火災管制運転を行なうことができるエレベーターにおいて、火災時の管制運転時に避難階が火災の場合、避難階にて乗客を降ろす前に、音声案内装置９により避難階が火災であることを案内することで、避難階での戸開時の乗客のパニックを防止することができ、従来よりも、一層、乗客の安全を確保することができる。
【００３６】
なお、この第４の実施形態は、上述の第１乃至第３の実施形態のいずれかと組み合わせて実施してもよい。その場合は、第１乃至第３の実施形態において、避難階に到着した際にエレベーター制御装置３からのホールドア駆動指令信号６をホールドア駆動装置４に出力するとき（ステップＳ２５、またはステップＳ６５）、または火災管制用カゴドア開指令信号８をドアコントロールユニット７に出力するとき（ステップＳ４５）、同時に、避難階火災案内指令信号１０を音声案内装置９に出力し、避難階火災案内動作を行うこととすればよい。
【００３７】
【発明の効果】
以上説明したように、本発明によれば、火災管制運転を行なうことができるエレベーターにおいて、火災時の管制運転時に避難階が火災であることを検出して、避難階でのドアの開動作を管制運転用に制御することで、避難階での煙や熱のカゴ内への流入を防止することができ、乗客の安全を従来以上に確保することができる。
さらに、避難階が火災であることを案内するようにすれば、カゴ内の乗客のパニックを防止することができ、より一層、乗客の安全を確保することができる。
【図面の簡単な説明】
【図１】  本発明に係るエレベーターの火災管制用安全装置の第１の実施形態の概略構成を示すブロック図。
【図２】  図１に示されたエレベーターの火災管制用安全装置の動作を示すフローチャート。
【図３】  本発明に係るエレベーターの火災管制用安全装置の第２の実施形態の概略構成を示すブロック図。
【図４】  図３に示されたエレベーターの火災管制用安全装置の動作を示すフローチャート。
【図５】  本発明に係るエレベーターの火災管制用安全装置の第３の実施形態の概略構成を示すブロック図。
【図６】  図５に示されたエレベーターの火災管制用安全装置の動作を示すフローチャート。
【図７】  本発明に係るエレベーターの火災管制用安全装置の第４の実施形態の概略構成を示すブロック図。
【図８】  図７に示されたエレベーターの火災管制用安全装置の動作を示すフローチャート。
【符号の説明】
１…火災センサー
２…管制運転ＳＷ
３…エレベーター制御装置
４…ホールドア駆動装置
５…火災管制信号
６…ホールドア駆動指令信号
７…ドアコントロールユニット
８…管制用ドア駆動指令信号
９…音声案内装置
１０…避難階火災管制案内指令信号
１１…避難階煙センサー
１２…煙センサー動作信号
【図１】
0004322342.tif 000002
【図２】
0004322342.tif 000003
【図３】
0004322342.tif 000004
【図４】
0004322342.tif 000005
【図５】
0004322342.tif 000006
【図６】
0004322342.tif 000007
【図７】
0004322342.tif 000008
【図８】
0004322342.tif 000009